(57)【特許請求の範囲】
【請求項１】
複数の回線との接続が可能である通信装置において、通信に関するパラメータを、各回線毎にその内容を異ならせて設定する相異設定手段と、通信に関するパラメータを、各回線でその内容を同じにして設定する同一設定手段と、前記相異設定手段及び前記同一設定手段の何れの設定処理を選択するかの指示を受け付ける手段とを備えることを特徴とする通信装置。
【請求項２】
各回線毎に設定された前記パラメータの内容を各別に記憶する記憶手段を備える請求項１記載の通信装置。
【発明の詳細な説明】
【０００１】
【発明の属する技術分野】
本発明は、複数の回線との接続が可能である通信装置に関し、特に、その通信に関するパラメータの設定に関するものである。
【０００２】
【従来の技術】
例えば．既設の回線に対して新たな回線を増設して、１組の操作機構を用いて複数回線について画像情報の通信を行えるようにしたファクシミリ装置が知られている。このようなファクシミリ装置にあっては、複数の回線における通信に関するパラメータ（通信速度，画信号の送出レベル，呼出しベル回数，ＥＣＭ（Ｅｒｒｏｒ  Ｃｏｒｒｅｃｔｉｏｎ  Ｍｏｄｅ）設定の有無など）の設定は、従来、全ての回線で一括して行われており、そのパラメータの設定内容も各回線について同一である。
【０００３】
【発明が解決しようとする課題】
複数回線との接続が可能である通信装置にあっては上述したように、その通信に関するパラメータ（以下、単に通信パラメータともいう）は全ての回線について一括して設定されるため、例えば２回線を使用している場合、一方の回線側の通信パラメータの内容を設定した際に、他方の回線側の通信パラメータの内容も一方の回線側と同じ内容に設定されてしまうことになって、２つの回線における通信パラメータの設定を切り分けることができず、ユーザにとって使い勝手が悪いという問題がある。
【０００４】
本発明は斯かる事情に鑑みてなされたものであり、各回線毎に独立的に通信パラメータを設定できるようにすることにより、ユーザの利便性を向上できる通信装置を提供することを目的とする。
【０００５】
【課題を解決するための手段】
請求項１に係る通信装置は、複数の回線との接続が可能である通信装置において、通信に関するパラメータを、各回線毎にその内容を異ならせて設定する相異設定手段と、通信に関するパラメータを、各回線でその内容を同じにして設定する同一設定手段と、前記相異設定手段及び前記同一設定手段の何れの設定処理を選択するかの指示を受け付ける手段とを備えることを特徴とする。
【０００８】
請求項１の通信装置にあっては、各回線毎にその内容を異ならせて通信パラメータを設定するか、全ての回線に対して同一の内容にて通信パラメータを設定するかを、ユーザが選択できる。よって、ユーザの意向に沿った各回線毎の通信パラメータを設定を行えて、ユーザの利便性は向上する。
【０００９】
請求項２に係る通信装置は、請求項１において、各回線毎に設定された前記パラメータの内容を各別に記憶する記憶手段を備えることを特徴とする。
【００１０】
請求項２の通信装置にあっては、記憶手段において、各回線毎に設定されたパラメータの内容を、記憶領域を分離させて各別に記憶する。よって、請求項１における設定処理（相異なる設定処理，同一の設定処理）を容易に行える。
【００１１】
【発明の実施の形態】
以下、本発明をその実施の形態を示す図面を参照して具体的に説明する。
図１は、本発明の通信装置としてのファクシミリ装置の構成を示すブロック図である。このファクシミリ装置は、一般の公衆回線を使用する２回線（第１回線，第２回線）に接続されているファクシミリ装置であり、本体側の第１回線接続制御部１と、増設側の第２回線接続制御部２と、これらをバス接続するコネクタ３とを有する。
【００１２】
第１回線接続制御部１は、主制御部１１，読取部１２，記録部１３，表示部１４，操作部１５，第１ＲＯＭ１６，第１ＲＡＭ１７，画像メモリ１８，通信パラメータ記憶部１９，第１モデム２０，第１ＮＣＵ（Ｎｅｔｗｏｒｋ  Ｃｏｎｔｒｏｌ  Ｕｎｉｔ）２１等を備えている。一方、第２回線接続制御部２は、デュアルポートＲＡＭ（ＤＰ−ＲＡＭ）３０，ＣＰＵ３１，第２ＲＯＭ３６，第２ＲＡＭ３７，第２モデム４０，第２ＮＣＵ４１等を備えている。そして、第１回線接続制御部１のバス２２と第２回線接続制御部２のバス４２とが、コネクタ３を介して接続されている。
【００１３】
主制御部１１は、具体的にはＣＰＵで構成されており、バス２２を介して第１回線接続制御部１の上述したようなハードウェア各部と接続されていて、それらを制御すると共に、第１ＲＯＭ１６に格納されたコンピュータプログラムに従って、本発明のファクシミリ装置における種々のソフトウェア的機能を実行する。読取部１２は、例えばＣＣＤを利用したスキャナで原稿を読み取り、ドットイメージデータを出力する。記録部１３は、電子写真方式のプリンタ装置であって、ファクシミリ通信により受信した画像情報、または、読取部１２にて読み取った原稿の画像情報をハードコピーとしてプリントアウトする。
【００１４】
表示部１４は、液晶表示装置またはＣＲＴディスプレイ等の表示装置であり、本発明のファクシミリ装置の動作状態を表示したり、送信すべく読み取った原稿の画像情報または受信した画像情報の表示を行う。操作部１５は、本発明のファクシミリ装置を操作するために必要な文字キー，テンキー，短縮ダイヤルキー，ワンタッチダイヤルキー，各種のファンクションキー等を備えている。また、この操作部１５は、第１回線，第２回線における通信パラメータ設定の指示をユーザから受け付ける手段として機能する。なお、表示部１４をタッチパネル方式とすることにより、操作部１５の各種のキーの内の一部または全部を代用することも可能である。
【００１５】
第１ＲＯＭ１６は、本発明のファクシミリ装置の動作に必要な種々のソフトウェアのプログラムを予め格納している。第１ＲＡＭ１７は、ＳＲＡＭまたはフラッシュメモリ等で構成され、ソフトウェアの実行時に発生する一時的なデータを記憶する。画像メモリ１８は、ＤＲＡＭ等で構成され、送信すべき画像情報または受信した画像情報を格納する。
【００１６】
通信パラメータ記憶部１９は、第１回線，第２回線における通信パラメータ（通信速度，画信号の送出レベル，呼出しベル回数，ＥＣＭ設定の有無など）の内容を記憶しており、第１回線における通信パラメータの内容を記憶する第１記憶領域１９ａと、第２回線における通信パラメータの内容を記憶する第２記憶領域１９ｂとを有する。そして、第１回線における通信処理は、この第１記憶領域１９ａの記憶内容に従って行われ、第２回線における通信処理は、この第２記憶領域１９ｂの記憶内容に従って行われる。
【００１７】
第１モデム２０は、バス２２に接続されており、ファクシミリ通信が可能なファクスモデムから構成されている。また、第１モデム２０は、同様にバス２２に接続された第１ＮＣＵ２１と直接的に接続されている。第１ＮＣＵ２１は、公衆電話回線網とのアナログ回線の閉結及び開放の動作を行うハードウェアであり、必要に応じて第１モデム２０を公衆電話回線網（第１回線）と接続する。なお、ＤＳＵ（Ｄｉｇｉｔａｌ  Ｓｅｒｖｉｃｅ  Ｕｎｉｔ：加入者線終端装置）を備えることにより、ベースバンド伝送方式のディジタル回線網（ＩＳＤＮ）に接続するようにしても良い。
【００１８】
ＣＰＵ３１は、バス４２を介して第２回線接続制御部２の上述したようなハードウェア各部と接続されていて、それらを制御すると共に、第２ＲＯＭ３６に格納されたコンピュータプログラムに従って、本発明のファクシミリ装置の第２回線における種々のソフトウェア的機能を実行する。
【００１９】
第２ＲＯＭ３６は、第２回線に関する動作に必要な種々のソフトウェアのプログラムを予め格納している。第２ＲＡＭ３７は、ＳＲＡＭまたはフラッシュメモリ等で構成され、第２回線に関するソフトウェアの実行時に発生する一時的なデータを記憶する。
【００２０】
第２モデム４０は、バス４２に接続されており、ファクシミリ通信が可能なファクスモデムから構成されている。また、第２モデム４０は、同様にバス４２に接続された第２ＮＣＵ４１と直接的に接続されている。第２ＮＣＵ４１は、公衆電話回線網とのアナログ回線の閉結及び開放の動作を行うハードウェアであり、必要に応じて第２モデム４０を公衆電話回線網（第２回線）と接続する。
【００２１】
本発明のファクシミリ装置は、操作部１５を介したユーザの指示入力によって、第１回線，第２回線における通信パラメータを各回線毎に独立的に設定するか、または、第１回線及び第２回線における通信パラメータを一括して設定するかを選択でき、また、操作部１５を介したユーザの指示入力によって、第１回線，第２回線における通信パラメータをその内容を異ならせて設定するか、または、第１回線及び第２回線における通信パラメータをその内容を一致させて設定するかを選択できるようになっている。
【００２２】
このように第１回線，第２回線における通信パラメータの設定処理に自由度を持たせているので、ユーザが所望する通信パラメータの任意の設定処理パターンに対応することが可能である。図２は、この通信パラメータの複数（１０例）の設定パターン例（第１回線，第２回線における設定前（変更前）及び設定後（変更後）の通信パラメータ）を示す図である。なお、図２において、同一のアルファベットは通信パラメータが同一内容であることを表している。
【００２３】
例えば、第１例は、第１回線及び第２回線の通信パラメータの内容が同一である（内容Ａ）状態から第１回線及び第２回線を一括して他の同一内容（内容Ｂ）に変更する場合を表している。また、第２例は、第１回線及び第２回線の通信パラメータの内容が同一である（内容Ａ）状態から第２回線の通信パラメータの内容のみを他の内容（内容Ｂ）に変更する場合を表している。また、第５例は、第１回線の通信パラメータの内容（内容Ｘ）と第２回線の通信パラメータの内容（内容Ｙ）とが異なっている状態から第２回線の通信パラメータの内容（内容Ｙ）を第１回線の通信パラメータの内容（内容Ｘ）に変更する場合を表している。また、第７例は、第１回線の通信パラメータの内容（内容Ｘ）と第２回線の通信パラメータの内容（内容Ｙ）とが異なっている状態から第１回線及び第２回線を一括して他の同一内容（内容Ｚ）に変更する場合を表している。更に、第１０例は、第１回線の通信パラメータの内容（内容Ｘ）と第２回線の通信パラメータの内容（内容Ｙ）とが異なっている状態から第１回線，第２回線の通信パラメータの内容を各別に独立的に他の内容（内容Ｚ，内容Ｕ）に変更する場合を表している。本発明のファクシミリ装置では、図２に示した全ての設定処理パターンに容易に対応できる。
【００２４】
次に、動作について説明する。図３〜図５は、本発明のファクシミリ装置の処理動作の手順を示すフローチャートであり、図３は、第２回線を増設した際の動作手順を表し、図４及び図５は、第２回線増設後の通信パラメータの設定処理の動作手順を表している。
【００２５】
まず、第１回線が既設であって、第２回線を新たに設ける場合の動作について説明する。第１回線における通信パラメータの内容が記憶されている第１記憶領域１９ａの記憶内容を、第２記憶領域１９ｂに複写する（ステップＳ１）。主制御部１１は、操作部１５によるユーザの入力指示に基づいて、第２回線における通信パラメータを第１回線における通信パラメータと同一にする設定であるか否かを判断する（ステップＳ２）。同一にする設定である場合には（Ｓ２：ＹＥＳ）、同一フラグをオンにして（ステップＳ７）、処理を終了する。
【００２６】
一方、同一にしない設定である場合には（Ｓ２：ＮＯ）、通信速度バッファを作成し（ステップＳ３）、画信号送出レベルバッファを作成し（ステップＳ４）、呼出しベル回数バッファを作成し（ステップＳ５）、ＥＣＭ設定バッファを作成して（ステップＳ６）、第２回線における通信パラメータとなる第２記憶領域１９ｂの記憶内容を、これらの作成した通信パラメータの内容に変更する。
【００２７】
新しく接続された第２回線における通信処理は、このようにして作成された第２記憶領域１９ｂの記憶内容に従って実行される。
【００２８】
次に、通信パラメータの内容を変更・設定する場合の動作について説明する。主制御部１１は、同一フラグがオンであるか否かを判断する（ステップＳ１１）。オンである場合に（Ｓ１１：ＹＥＳ）、主制御部１１は、操作部１５によるユーザの入力指示に基づいて、今回の設定処理が、第１回線と第２回線とにおける通信パラメータの内容を同一にする設定であるか否かを判断する（ステップＳ１２）。
【００２９】
同一にする設定である場合には（Ｓ１２：ＹＥＳ）、前述したＳ３〜Ｓ６の処理を行って、第１記憶領域１９ａの記憶内容（第１回線における通信パラメータ）を変更する（ステップＳ１３）。そして、この変更された記憶内容を、第２記憶領域１９ｂに複写する（ステップＳ１４）。この設定処理は、図２の第１例に該当する。
【００３０】
第１回線と第２回線とにおける通信パラメータの内容を同一にしない設定である場合には（Ｓ１２：ＮＯ）、同一フラグをオフとする（ステップＳ１５）。主制御部１１は、操作部１５によるユーザの入力指示に基づいて、今回の設定処理が、何れの回線を対象にしているのかを判断する（ステップＳ１６）。第２回線のみを対象としている場合には、前述したＳ３〜Ｓ６の処理を行って、第２記憶領域１９ｂの記憶内容（第２回線における通信パラメータ）のみを変更する（ステップＳ１７）。この設定処理は、図２の第２例に該当する。第１回線のみを対象としている場合には、前述したＳ３〜Ｓ６の処理を行って、第１記憶領域１９ａの記憶内容（第１回線における通信パラメータ）のみを変更する（ステップＳ１８）。この設定処理は、図２の第３例に該当する。第１回線及び第２回線を対象としている場合には、第１回線，第２回線毎に独立的にＳ３〜Ｓ６の処理を行って、第１記憶領域１９ａの記憶内容（第１回線における通信パラメータ）及び第２記憶領域１９ｂの記憶内容（第２回線における通信パラメータ）を夫々各別に変更する（ステップＳ１９）。この設定処理は、図２の第４例に該当する。
【００３１】
現在の同一フラグがオフである場合に（Ｓ１１：ＮＯ）、主制御部１１は、操作部１５によるユーザの入力指示に基づいて、今回の設定処理が、第１回線と第２回線とにおける通信パラメータの内容を同一にする設定であるか否かを判断する（ステップＳ２０）。
【００３２】
同一にする設定である場合に（Ｓ２０：ＹＥＳ）、同一フラグをオンとする（ステップＳ２１）。そして、主制御部１１は、操作部１５によるユーザの入力指示に基づいて、一方の回線における通信パラメータを他方の回線における現在の通信パラメータに合わせる設定であるか否かを判断する（ステップＳ２２）。
【００３３】
何れかに合わせる設定である場合に（Ｓ２２：ＹＥＳ）、主制御部１１は、今回の設定処理が、第２回線における通信パラメータを第１回線における現在の通信パラメータに合わせる設定であるか否かを判断する（ステップＳ２３）。そうである場合に（Ｓ２３：ＹＥＳ）、第１記憶領域１９ａの現在の記憶内容（第１回線における通信パラメータ）を第２記憶領域１９ｂに複写する（ステップＳ２４）。この設定処理は、図２の第５例に該当する。そうでない場合、つまり、今回の設定処理が、第１回線における通信パラメータを第２回線における現在の通信パラメータに合わせる設定である場合に（Ｓ２３：ＮＯ）、第２記憶領域１９ｂの現在の記憶内容（第２回線における通信パラメータ）を第１記憶領域１９ａに複写する（ステップＳ２５）。この設定処理は、図２の第６例に該当する。
【００３４】
何れの回線にも合わせない設定である場合に（Ｓ２２：ＮＯ）、前述したＳ３〜Ｓ６の処理を行って、第１記憶領域１９ａの記憶内容（第１回線における通信パラメータ）を変更する（ステップＳ２６）。そして、この変更された記憶内容を、第２記憶領域１９ｂに複写する（ステップＳ２７）。この設定処理は、図２の第７例に該当する。
【００３５】
第１回線と第２回線とにおける通信パラメータの内容を同一にしない設定である場合には（Ｓ２０：ＮＯ）、主制御部１１は、操作部１５によるユーザの入力指示に基づいて、今回の設定処理が、何れの回線を対象にしているのかを判断する（ステップＳ２８）。第２回線のみを対象としている場合には、前述したＳ３〜Ｓ６の処理を行って、第２記憶領域１９ｂの記憶内容（第２回線における通信パラメータ）のみを変更する（ステップＳ２９）。この設定処理は、図２の第８例に該当する。第１回線のみを対象としている場合には、前述したＳ３〜Ｓ６の処理を行って、第１記憶領域１９ａの記憶内容（第１回線における通信パラメータ）のみを変更する（ステップＳ３０）。この設定処理は、図２の第９例に該当する。第１回線及び第２回線を対象としている場合には、第１回線，第２回線毎に独立的にＳ３〜Ｓ６の処理を行って、第１記憶領域１９ａの記憶内容（第１回線における通信パラメータ）及び第２記憶領域１９ｂの記憶内容（第２回線における通信パラメータ）を夫々各別に変更する（ステップＳ３１）。この設定処理は、図２の第１０例に該当する。
【００３６】
以上のようにして、本発明のファクシミリ装置では、第１回線及び第２回線における通信パラメータの任意の設定パターンに対応することができ、ユーザの意向に沿った通信パラメータの設定処理を容易に実行することが可能である。また、増設側の第２回線接続制御部２が故障した場合、第２回線における通信パラメータが既に第２記憶領域１９ｂに記憶されているため、新しい第２回線接続制御部に取り換えた際に、その通信パラメータを即座に利用できて極めて便利である。
【００３７】
なお、上述した例では、通信パラメータの具体的な内容を４種類（通信速度，画信号の送出レベル，呼出しベル回数，ＥＣＭ設定の有無）としたが、これは例示であり、この４種類に限るものでないことは勿論である。
【００３８】
また、上述した例では、このような４種類のパラメータ全体を含めたものとして通信パラメータを設定する場合について説明したが、各個別の種類のパラメータについて第１回線，第２回線毎の記憶領域を夫々を設けるようにした場合には、各個別の種類のパラメータ単位にて任意の設定パターンの処理を同様に行えることは勿論である。
【００３９】
更に、２回線に接続するファクシミリ装置を例として説明したが、３回線以上に接続するファクシミリ装置についても、本発明を同様に適用できることは言うまでもない。
【００４０】
【発明の効果】
以上のように本発明では、各回線毎にその内容を異ならせて通信パラメータを設定するか、全ての回線に対して同一の内容にて通信パラメータを設定するかを、ユーザが任意に選択できるようにしたので、ユーザの意向に沿った各回線毎の通信パラメータを容易に設定できて、ユーザの利便性を向上することができる。
【００４２】
更に本発明では、各回線毎に設定されたパラメータの内容を、記憶領域を分離させて各別に記憶するようにしたので、上述したような設定処理（相異なる設定処理，同一の設定処理）を容易に行うことができる。
【図面の簡単な説明】
【図１】本発明のファクシミリ装置の構成を示すブロック図である。
【図２】通信パラメータの設定パターン例を示す図である。
【図３】本発明のファクシミリ装置の処理動作の手順を示すフローチャートである。
【図４】本発明のファクシミリ装置の処理動作の手順を示すフローチャートである。
【図５】本発明のファクシミリ装置の処理動作の手順を示すフローチャートである。
【符号の説明】
１  第１回線接続制御部
２  第２回線接続制御部
１１  主制御部
１５  操作部
１６  第１ＲＯＭ
１７  第１ＲＡＭ
１９  通信パラメータ記憶部
１９ａ  第１記憶領域
１９ｂ  第２記憶領域
２０  第１モデム
２１  第１ＮＣＵ
３１  ＣＰＵ
３６  第２ＲＯＭ
３７  第２ＲＡＭ
４０  第２モデム
４１  第２ＮＣＵ
【図１】
0003578140.tif 000002
【図２】
0003578140.tif 000003
【図３】
0003578140.tif 000004
【図４】
0003578140.tif 000005
【図５】
0003578140.tif 000006